(57)【要約】【課題】  機構の簡素化を図った上で本体の必要な傾斜状態を確保する。【解決手段】  水平方向に対して所定の角度で傾斜された傾斜面１２を有する結合部９が設けられた保持ベース２と、水平方向に対して保持ベースの傾斜面と同じ角度で傾斜された斜面１９を有し斜面が傾斜面に接した状態で保持ベースの結合部に結合される嵌合部１４が設けられたコネクター３と、コネクターに取り付けられ音声出力部４ａを有する本体４とを設け、コネクターの嵌合部が保持ベースの結合部に結合される向きに応じて本体が垂直方向に対して傾斜角度が異なる第１の傾斜状態又は第２の傾斜状態の少なくとも二つの状態で傾斜されるようにした。【選択図】        図６
2011211522.tif 000002
【特許請求の範囲】
【請求項１】
水平方向に対して所定の角度で傾斜された傾斜面を有する結合部が設けられた保持ベースと、
水平方向に対して前記保持ベースの傾斜面と同じ角度で傾斜された斜面を有し前記斜面が前記傾斜面に接した状態で前記保持ベースの結合部に結合される嵌合部が設けられたコネクターと、
前記コネクターに取り付けられ音声出力部を有する本体とを備え、
前記コネクターの嵌合部が前記保持ベースの結合部に結合される向きに応じて前記本体が垂直方向に対して傾斜角度が異なる第１の傾斜状態又は第２の傾斜状態の少なくとも二つの状態で傾斜されるようにした
スピーカー。
【請求項２】
前記コネクターの嵌合部を前記保持ベースの結合部に対して水平方向へ回転可能とし、
前記コネクターの嵌合部を前記保持ベースの結合部に結合した状態において前記コネクターを前記保持ベースに対して回転することにより回転位置に応じて前記本体が異なる傾斜角度で傾斜されるようにした
請求項１に記載のスピーカー。
【請求項３】
前記第１の傾斜状態の傾斜角度を０°に設定した
請求項１に記載のスピーカー。
【請求項４】
前記保持ベースの傾斜面と前記コネクターの斜面とを傾斜方向が水平方向において１８０°反対の方向の状態で接する向きで前記嵌合部を前記結合部に結合して前記本体を前記第１の傾斜状態で傾斜させるようにした
請求項３に記載のスピーカー。
【請求項５】
前記保持ベースの結合部と前記コネクターの嵌合部の一方にロック用凹部を形成し他方に前記ロック用凹部に係合されるロック用突部を設け、
前記ロック用突部が前記ロック用凹部に係合されて前記本体を前記第１の傾斜状態又は前記第２の傾斜状態においてロックするようにした
請求項１に記載のスピーカー。
【発明の詳細な説明】
【技術分野】
【０００１】
本発明はスピーカーについての技術分野に関する。詳しくは、コネクターの嵌合部が保持ベースの結合部に結合される向きに応じて本体が異なる傾斜角度で傾斜されるようにして機構の簡素化を図った上で本体の必要な傾斜状態を確保する技術分野に関する。
【背景技術】
【０００２】
スピーカーには、例えば、ディスク再生装置に設けられるものやテレビジョン等の側方に配置されて使用されるもの等がある。
【０００３】
例えば、テレビジョンにおいては、近年の大型化によって、床等の載置面に載置された状態においては画面を稍上向きに傾斜させることにより画面に映し出される画像や映像が見易くなる。従って、テレビジョンの側方に配置されて使用されるスピーカーにあっては、テレビジョンの画面の傾斜角度に応じて同様の傾斜角度で載置面に載置されることが多い。
【０００４】
このようにスピーカーを傾斜させた状態で載置するための手段として、例えば、スピーカーの下端部に設けられた載置ベースに傾斜させるための脚を設けているものがある。
【０００５】
また、構造物を傾斜させるための手段として、上下方向に重ねて配置した複数の部材を設け、これらの複数の部材を水平方向へ互いに回転可能な構成とし、各部材を回転させることにより傾斜させるようにしたものもある（例えば、特許文献１参照）。
【０００６】
【特許文献１】実開平７−１８２０８号公報
【発明の開示】
【発明が解決しようとする課題】
【０００７】
ところが、載置ベースに脚部を設けて傾斜させるスピーカーにあっては、載置面に対して載置ベースが傾いてしまうため、不安定な状態で傾斜されると共に別部品としての脚を設けるために部品点数が増え製造コストが高騰すると言う問題がある。
【０００８】
また、特許文献１に記載された手段にあっては、上下方向に重ねて配置された部材の数が多く、また、これらの複数の部材が互いに回転可能な構成とされているため、機構が複雑であり、やはり部品点数が多く製造コストが高いと言う問題がある。
【０００９】
そこで、本発明スピーカーは、上記した問題点を克服し、機構の簡素化を図った上で本体の必要な傾斜状態を確保することを課題とする。
【課題を解決するための手段】
【００１０】
スピーカーは、上記した課題を解決するために、水平方向に対して所定の角度で傾斜された傾斜面を有する結合部が設けられた保持ベースと、水平方向に対して前記保持ベースの傾斜面と同じ角度で傾斜された斜面を有し前記斜面が前記傾斜面に接した状態で前記保持ベースの結合部に結合される嵌合部が設けられたコネクターと、前記コネクターに取り付けられ音声出力部を有する本体とを備え、前記コネクターの嵌合部が前記保持ベースの結合部に結合される向きに応じて前記本体が垂直方向に対して傾斜角度が異なる第１の傾斜状態又は第２の傾斜状態の少なくとも二つの状態で傾斜されるようにしたものである。
【００１１】
従って、スピーカーにあっては、結合部に結合される嵌合部の向きに応じて本体が異なる傾斜角度で傾斜される。
【００１２】
上記したスピーカーにおいては、前記コネクターの嵌合部を前記保持ベースの結合部に対して水平方向へ回転可能とし、前記コネクターの嵌合部を前記保持ベースの結合部に結合した状態において前記コネクターを前記保持ベースに対して回転することにより回転位置に応じて前記本体が異なる傾斜角度で傾斜されることが望ましい。
【００１３】
コネクターを保持ベースに対して回転することにより回転位置に応じて本体が異なる傾斜角度で傾斜されることにより、結合部に対する嵌合部の回転位置に応じて本体が異なる傾斜角度で傾斜される。
【００１４】
上記したスピーカーにおいては、前記第１の傾斜状態の傾斜角度を０°に設定することが望ましい。
【００１５】
第１の傾斜状態の傾斜角度を０°に設定することにより、第１の傾斜状態において本体４が垂直な状態とされる。
【００１６】
上記したスピーカーにおいては、前記保持ベースの傾斜面と前記コネクターの斜面とを傾斜方向が水平方向において１８０°反対の方向の状態で接する向きで前記嵌合部を前記結合部に結合して前記本体を前記第１の傾斜状態で傾斜させることが望ましい。
【００１７】
傾斜面と斜面を傾斜方向が水平方向において１８０°反対の方向の状態で接する向きで嵌合部を結合部に結合して本体を第１の傾斜状態で傾斜させることにより、傾斜面と斜面の傾斜方向が反対の方向の状態で接して本体が垂直な状態とされる。
【００１８】
上記したスピーカーにおいては、前記保持ベースの結合部と前記コネクターの嵌合部の一方にロック用凹部を形成し他方に前記ロック用凹部に係合されるロック用突部を設け、前記ロック用突部が前記ロック用凹部に係合されて前記本体を前記第１の傾斜状態又は前記第２の傾斜状態においてロックすることが望ましい。
【００１９】
ロック用突部がロック用凹部に係合されて本体を第１の傾斜状態又は第２の傾斜状態においてロックすることにより、本体が第１の傾斜状態又は第２の傾斜状態に保持される。
【発明の効果】
【００２０】
本発明スピーカーは、水平方向に対して所定の角度で傾斜された傾斜面を有する結合部が設けられた保持ベースと、水平方向に対して前記保持ベースの傾斜面と同じ角度で傾斜された斜面を有し前記斜面が前記傾斜面に接した状態で前記保持ベースの結合部に結合される嵌合部が設けられたコネクターと、前記コネクターに取り付けられ音声出力部を有する本体とを備え、前記コネクターの嵌合部が前記保持ベースの結合部に結合される向きに応じて前記本体が垂直方向に対して傾斜角度が異なる第１の傾斜状態又は第２の傾斜状態の少なくとも二つの状態で傾斜されるようにしている。
【００２１】
従って、機構の簡素化を図った上で本体の必要な傾斜状態を確保することができる。
【００２２】
請求項２に記載した発明にあっては、前記コネクターの嵌合部を前記保持ベースの結合部に対して水平方向へ回転可能とし、前記コネクターの嵌合部を前記保持ベースの結合部に結合した状態において前記コネクターを前記保持ベースに対して回転することにより回転位置に応じて前記本体が異なる傾斜角度で傾斜されるようにしている。
【００２３】
従って、本体の傾斜状態の変更を簡単に行うことが可能であり、使い勝手の向上を図ることができる。
【００２４】
請求項３に記載した発明にあっては、前記第１の傾斜状態の傾斜角度を０°に設定している。
【００２５】
従って、第１の傾斜状態における本体の安定した保持状態を確保することができる。
【００２６】
請求項４に記載した発明にあっては、前記保持ベースの傾斜面と前記コネクターの斜面とを傾斜方向が水平方向において１８０°反対の方向の状態で接する向きで前記嵌合部を前記結合部に結合して前記本体を前記第１の傾斜状態で傾斜させるようにしている。
【００２７】
従って、本体を垂直方向に対する傾斜角度が０°になる第１の傾斜状態で傾斜させる機構が簡素であり、機構の簡素化による製造コストの低減を図ることができる。
【００２８】
請求項５に記載した発明にあっては、前記保持ベースの結合部と前記コネクターの嵌合部の一方にロック用凹部を形成し他方に前記ロック用凹部に係合されるロック用突部を設け、前記ロック用突部が前記ロック用凹部に係合されて前記本体を前記第１の傾斜状態又は前記第２の傾斜状態においてロックするようにしている。
【００２９】
従って、本体を簡単な構成によって第１の傾斜状態又は第２の傾斜状態に確実に保持することができる。
【発明を実施するための最良の形態】
【００３０】
以下に、本発明スピーカーの実施の形態を添付図面に従って説明する。
【００３１】
＜第１の実施の形態＞
先ず、第１の実施の形態におけるスピーカー１について説明する（図１乃至図６参照）。
【００３２】
［スピーカーの構造］
スピーカー１は保持ベース２とコネクター３と本体４を備えている（図１参照）。スピーカー１は、例えば、床等の載置面１００に載置されたテレビジョン２００にケーブル３００を介して接続され、テレビジョン１００の側方において載置面１００に載置される。テレビジョン２００はスタンド２０１と該スタンド２０１に傾動可能に支持された表示部２０２とを有している。表示部２０２はスタンド２０１に対して傾斜されることにより、画面２０２ａが前方を向く状態からやや斜め上方を向く状態まで任意の傾斜状態に設定することが可能である。スピーカー１からはテレビジョン１００の音声が出力される。
【００３３】
保持ベース２は載置ベース５とカバー６を有している（図２及び図３参照）。
【００３４】
載置ベース５は上下方向を向く矩形の板状に形成された載置面部７と該載置面部７の外周部から略上方へ突出された周面部８と載置面部７の中央部から上方へ突出された結合部９とが一体に形成されて成る。
【００３５】
周面部８の内面には周方向に離隔して複数の係合凹部８ａ、８ａ、・・・が形成されている。
【００３６】
結合部９は載置面部７から上方へ突出された略円柱状の軸部１０と該軸部１０の外周面から互いに反対方向へ突出された結合用突部１１、１１とから成る。結合部９は垂直方向Ｈに対して所定の角度α、例えば、３°傾斜した状態で設けられている（図３参照）。
【００３７】
軸部１０には上下に貫通されたケーブル引出孔１０ａが形成されている。
【００３８】
結合用突部１１、１１は周面部８の上端より上方に位置されている。結合用突部１１、１１の下面は水平方向に対して、例えば、３°傾斜された傾斜面１２、１２として形成されており、該傾斜面１２、１２にはそれぞれ下方へ突出されたロック用突部１２ａ、１２ａが設けられている。
【００３９】
カバー６は上下方向を向く矩形の平板状に形成されている。カバー６の下面における外周部には周方向に離隔して複数の係合突部６ａ、６ａ、・・・が設けられている。カバー６の中央部にはケーブル挿通孔６ｂが形成されている。
【００４０】
カバー６は係合突部６ａ、６ａ、・・・がそれぞれ周面部８の係合凹部８ａ、８ａ、・・・に係合されて載置ベース５に結合される。
【００４１】
コネクター３は、図２乃至図４に示すように、外形が直方体状に形成された挿入配置部１３と該挿入配置部１３から下方へ突出され外形がほお円柱状に形成された嵌合部１４とが一体に形成されて成る。コネクター３には上下に貫通された挿通孔３ａが形成されている。
【００４２】
挿入配置部１３の内部における側方には取付部１５が設けられ該取付部１５には水平方向において貫通されたネジ挿通孔１５ａが形成されている（図２及び図３参照）。取付部１５の内部にはナット１６が配置され、該ナット１６の螺孔１６ａの中心軸がネジ挿通孔１５ａの中心軸に一致されている。
【００４３】
嵌合部１４は略円筒状に形成された円周部１７と該円周部１７の下端部から内方へ張り出された張出部１８とから成る。
【００４４】
張出部１８には周方向において１８０°反対側の位置に、互いに向き合う方向に開口された挿入用切欠１８ａ、１８ａが形成されている（図３及び図４参照）。張出部１８の上面は水平方向に対して、例えば、３°傾斜された斜面１９、１９として形成されており、該斜面１９、１９には上方に開口され水平方向において１８０°反対側に位置されたロック用凹部１９ａ、１９ａが形成されている。
【００４５】
コネクター３は嵌合部１４がカバー６のケーブル挿通孔６ｂに上方から挿入され張出部１８の挿入用切欠１８ａ、１８ａにそれぞれ結合用突部１１、１１が挿入され、水平方向へ回転されて結合用突部１１、１１の傾斜面１２、１２にそれぞれ斜面１９、１９が接することにより保持ベース２に結合される（図５及び図６参照）。
【００４６】
本体４は、例えば、上下に長い円柱状に形成され、１８０°反対側に位置する少なくとも二つの側面に音声出力部４ａ、４ａが設けられている（図１参照）。本体４の下端部には下方に開口された取付用凹部４ｂが形成されている（図２及び図３参照）。本体４の下端寄りの位置には外周面と取付用凹部４ｂに連通された取付孔４ｃが形成されている。
【００４７】
本体４は取付用凹部４ｂに挿入配置部１３が挿入され、取付ネジ４００が取付孔４ｃ及び挿入配置部１３のネジ挿通孔１５ａを挿通されナット１６の螺孔１６ａに螺合されることによりコネクター３に取り付けられる（図５及び図６参照）。
【００４８】
上記のように保持ベース２とコネクター３と本体４が結合されてスピーカー１が構成された状態において、ケーブル３００は一端部が本体４の内部において図示しない接続部に接続され、コネクター３の挿通孔３ａ、保持ベース２のケーブル挿通孔６ｂ及び保持ベース２のケーブル引出孔１０ａを順に挿通され他端部が外部へ導出されてテレビジョン２００の図示しない外部端子に接続される。
【００４９】
［スピーカーの状態］
上記のように構成されたスピーカー１において、コネクター３と本体４が一体になって保持ベース２に対して結合部９を支点として水平方向へ回転されると、コネクター３の回転位置に応じて本体４が第１の傾斜状態又は第２の傾斜状態の何れかの状態で傾斜される。
【００５０】
例えば、保持ベース２の傾斜面１２、１２の傾斜方向とコネクター３の斜面１９、１９の傾斜方向とが水平方向において１８０°反対方向になる位置までコネクター３が保持ベース２に対して回転されると、本体４の第１の傾斜状態が設定され、本体４が垂直方向に対して０°傾いた状態、即ち、垂直な状態とされる（図５参照）。
【００５１】
このとき保持ベース２の傾斜面１２、１２に設けられたロック用突部１２ａ、１２ａがそれぞれコネクター３の斜面１９、１９に形成されたロック用凹部１９ａ、１９ａに係合されることにより、コネクター３が保持ベース２に対してロックされ本体４が第１の傾斜状態で保持される。
【００５２】
また、保持ベース２の傾斜面１２、１２の傾斜方向とコネクター３の斜面１９、１９の傾斜方向とが水平方向において同じ方向になる位置までコネクター３が保持ベース２に対して回転されると、本体４の第２の傾斜状態が設定され、本体４が垂直方向に対して６°傾いた状態とされる（図６参照）。
【００５３】
このとき保持ベース２の傾斜面１２、１２に設けられたロック用突部１２ａ、１２ａがそれぞれコネクター３の斜面１９、１９に形成されたロック用凹部１９ａ、１９ａに係合されることにより、コネクター３が保持ベース２に対してロックされ本体４が第２の傾斜状態で保持される。
【００５４】
以上に記載した通り、スピーカー１にあっては、コネクター３の嵌合部１４が保持ベース２の結合部９に結合される向きに応じて本体４が垂直方向に対して傾斜角度が異なる第１の傾斜状態又は第２の傾斜状態の何れかの状態で傾斜される。
【００５５】
従って、機構の簡素化を図った上で本体４の必要な傾斜状態を確保することができる。
【００５６】
また、コネクター３を保持ベース２に対して回転することにより回転位置に応じて本体４が第１の傾斜状態又は第２の傾斜状態で傾斜されるため、本体４の傾斜状態の変更を簡単に行うことが可能であり、使い勝手の向上を図ることができる。
【００５７】
さらに、第１の傾斜状態の傾斜角度を垂直方向に対して傾きのない０°に設定しているため、第１の傾斜状態における本体４の安定した保持状態を確保することができる。また、第１の傾斜状態の傾斜角度を０°に設定することにより、垂直方向に対する基準となる角度が明確化される。
【００５８】
尚、上記には、第１の傾斜状態の垂直方向に対する傾斜角度を０°とし第２の傾斜状態の垂直方向に対する傾斜角度を６°とした例を示したが、第１の傾斜状態と第２の傾斜状態の垂直方向に対する傾斜角度は０°と６°以外の任意の角度に設定することが可能である。
【００５９】
例えば、保持ベース２の傾斜面１２、１２とコネクター３の斜面１９、１９の水平方向に対する傾斜角度をｎ°（ｎは０より大きい任意の数）にし、傾斜面１２、１２の傾斜方向とコネクター３の斜面１９、１９の傾斜方向とが水平方向において１８０°反対方向になるようにして第１の傾斜状態（０°）が設定されるようにし、傾斜面１２、１２と斜面１９、１９の傾斜方向が同じ方向になるようにして第２の傾斜状態（２ｎ°）が設定されるようにすることが可能である。
【００６０】
また、スピーカー１にあっては、本体４の傾斜状態が第１の傾斜状態と第２の傾斜状態の二つの傾斜状態に限られることはなく、コネクター３の保持ベース２に対する回転位置に応じて三つ以上の傾斜状態が設定されるように構成することも可能である。
【００６１】
スピーカー１にあっては、保持ベース２の傾斜面１２、１２とコネクター３の斜面１９、１９とを傾斜方向が水平方向において１８０°反対の方向の状態で接する向きで嵌合部１４を結合部９に結合することにより本体４を第１の傾斜状態で傾斜させるようにしている。
【００６２】
従って、本体４を垂直方向に対する傾斜角度が０°になる第１の傾斜状態で傾斜させる機構が簡素であり、機構の簡素化による製造コストの低減を図ることができる。
【００６３】
また、スピーカー１にあっては、保持ベース２にロック用突部１２ａ、１２ａを設けコネクター３にそれぞれロック用突部１２ａ、１２ａが係合されるロック用凹部１９ａ、１９ａを形成し、本体４を第１の傾斜状態又は第２の傾斜状態に保持している。
【００６４】
従って、本体４を簡単な構成によって第１の傾斜状態又は第２の傾斜状態に確実に保持することができる。
【００６５】
尚、上記には、保持ベース２にロック用突部１２ａ、１２ａを設けコネクター３にロック用凹部１９ａ、１９ａを形成した例を示したが、逆に、保持ベース２にロック用凹部を形成しコネクター３にロック用突部を設けてもよい。
【００６６】
＜第２の実施の形態＞
次に、第２の実施の形態におけるスピーカー２１について説明する（図７乃至図１０参照）。
【００６７】
［スピーカーの構造］
スピーカー２１は保持ベース２２とコネクター２３と本体２４を備えている（図７及び図８参照）。スピーカー２１もスピーカー１と同様に、例えば、床等の載置面に載置されたテレビジョンに接続される。
【００６８】
保持ベース２２は載置ベース２５とカバー２６を有している。
【００６９】
載置ベース２５は上下方向を向く矩形の板状に形成された載置面部２７と該載置面部２７の外周部に周方向に離隔して設けられ上方へ突出された取付突部２８、２８、・・・と載置面部２７の中央部から上方へ打出状に突出された突出部２９とが一体に形成されて成る。
【００７０】
取付突部２８、２８、・・・にはそれぞれネジ用孔２８ａ、２８ａ、・・・が形成されている。
【００７１】
突出部２９は載置面部２７に連続し略円筒状に形成された周面部３０と該周面部３０の上端部に連続された天面部３１とから成る。
【００７２】
天面部３１は水平方向に対して、例えば、３°傾斜した状態で設けられている。天面部３１には、中央部にケーブル引出孔３１ａが形成され、該ケーブル引出孔３１ａの両側にネジ挿通孔３１ｂ、３１ｂが形成されている。
【００７３】
カバー２６は、上下方向を向く平板状に形成された閉塞部３２と、該閉塞部３２の外周縁から下方へ突出された外周面部３３と、閉塞部３２の外周部に周方向に離隔して設けられた被取付突部３４、３４、・・・と、閉塞部３２の中央部に設けられた結合部３５とが一体に形成されて成る。
【００７４】
被取付突部３４、３４、・・・は下方へ突出して設けられ、被取付突部３４、３４、・・・にはそれぞれ下方に開口された螺穴３４ａ、３４ａ、・・・が形成されている。
【００７５】
結合部３５は閉塞部３２に連続し略円筒状に形成された周状部３６と該周状部３６の下端部に連続された底面部３７とから成る。
【００７６】
底面部３７は水平方向Ｈに対して所定の角度α、例えば、３°傾斜した状態で設けられている。底面部３７には、中央部にケーブル挿通孔３７ａが形成され、該ケーブル挿通孔３７ａの両側にネジ挿通孔３７ｂ、３７ｂが形成されている。底面部３７の上面は傾斜面３７ｃとして形成されている。
【００７７】
載置ベース２５とカバー２６はそれぞれネジ用孔２８ａ、２８ａ、・・・を挿通された第１の取付ネジ５００、５００、・・・が螺穴３４ａ、３４ａ、・・・に螺合されることにより結合される。
【００７８】
コネクター２３は上方に開口された略箱状に形成された挿入配置部３８と該挿入配置部３８から下方へ突出され外形が略円柱状に形成された嵌合部３９とが一体に形成されて成る。
【００７９】
嵌合部３９には、中央部に上下に貫通された挿通孔３９ａが形成され、該挿通孔３９ａの両側に下方に開口された取付用穴３９ｂ、３９ｂが形成されている。嵌合部３９の下面は水平方向に対して、例えば、３°傾斜された斜面３９ｃとして形成されている。
【００８０】
コネクター２３は嵌合部３９がカバー２６の結合部３５に上方から挿入された状態で、それぞれネジ挿通孔３１ｂ、３１ｂ及びネジ挿通孔３７ｂ、３７ｂを挿通された第２の取付ネジ６００、６００、・・・が取付用穴３９ｂ、３９ｂ、・・・に螺合されることにより保持ベース２２に結合される。
【００８１】
本体２４は、例えば、上下に長い円柱状に形成され、水平方向において１８０°反対側に位置する少なくとも二つの側面に図示しない音声出力部が設けられている。本体２４の下端部には下方に開口された取付用凹部２４ａが形成されている。
【００８２】
本体２４は取付用凹部２４ａに挿入配置部３８が挿入され、圧入、接着、ネジ止め等の適宜の手段によってコネクター２３に取り付けられる。
【００８３】
上記のように保持ベース２２とコネクター２３と本体２４が結合されてスピーカー２１が構成された状態において、ケーブルは一端部が本体２４の図示しない接続部に接続され、コネクター２３の挿通孔３９ａ、保持ベース２２のケーブル挿通孔３７ａ及び保持ベース２２のケーブル引出孔３１ａを順に挿通されて他端部が外部へ導出されてテレビジョンの外部端子に接続される。
【００８４】
［スピーカーの状態］
上記のように構成されたスピーカー２１において、コネクター２３の嵌合部３９が保持ベース２２の結合部３５に結合される向きに応じて本体２４が第１の傾斜状態又は第２の傾斜状態の何れかの状態で傾斜される。
【００８５】
例えば、保持ベース２２の傾斜面３７ｃ、３７ｃの傾斜方向とコネクター２３の斜面３９ｃ、３９ｃの傾斜方向とが水平方向において１８０°反対方向になるようにコネクター２３が保持ベース２２に取り付けられると、本体２４の第１の傾斜状態が設定され、本体２４が垂直方向に対して０°傾いた状態、即ち、垂直な状態とされる（図９参照）。
【００８６】
また、コネクター２３の傾斜面３７ｃ、３７ｃの傾斜方向とコネクター２３の斜面３９ｃ、３９ｃの傾斜方向とが水平方向において同じ方向になるようにコネクター２３が保持ベース２２に取り付けられると、本体２４の第２の傾斜状態が設定され、本体２４が垂直方向に対して６°傾いた状態とされる（図１０参照）。
【００８７】
尚、スピーカー２１における本体２４の第１の傾斜状態と第２の傾斜状態の設定は、一旦、第２の取付ネジ６００、６００を緩めてコネクター２３を保持ベース２２から取り外し、コネクター２３を保持ベース２２に対して所望の向きに変更し、再び、第２の取付ネジ６００、６００によってコネクター２３を保持ベース２２に取り付けることにより行う。
【００８８】
以上に記載した通り、スピーカー２１にあっては、コネクター３の嵌合部３９が保持ベース２の結合部３５に結合される向きに応じて本体２４が垂直方向に対して傾斜角度が異なる第１の傾斜状態又は第２の傾斜状態の何れかの状態で傾斜される。
【００８９】
従って、機構の簡素化を図った上で本体２４の必要な傾斜状態を確保することができる。
【００９０】
また、第１の傾斜状態の傾斜角度を垂直方向に対して傾きのない０°に設定しているため、第１の傾斜状態における本体２４の安定した保持状態を確保することができる。さらに、第１の傾斜状態の傾斜角度を０°に設定することにより、垂直方向に対する基準となる角度が明確化される。
【００９１】
尚、上記には、第１の傾斜状態の垂直方向に対する傾斜角度を０°とし第２の傾斜状態の垂直方向に対する傾斜角度を６°とした例を示したが、第１の傾斜状態と第２の傾斜状態の垂直方向に対する傾斜角度は０°と６°以外の任意の角度に設定することが可能である。
【００９２】
例えば、保持ベース２２の傾斜面３７ｃ、３７ｃとコネクター２３の斜面３９ｃ、３９ｃの水平方向に対する傾斜角度をｎ°（ｎは０より大きい任意の数）にし、傾斜面３７ｃ、３７ｃの傾斜方向とコネクター２３の斜面３９ｃ、３９ｃの傾斜方向とが水平方向において１８０°反対方向になるようにして第１の傾斜状態（０°）が設定されるようにし、傾斜面３７ｃ、３７ｃと斜面３９ｃ、３９ｃの傾斜方向が同じ方向になるようにして第２の傾斜状態（２ｎ°）が設定されるようにすることが可能である。
【００９３】
また、スピーカー２１にあっては、本体２４の傾斜状態が第１の傾斜状態と第２の傾斜状態の二つの傾斜状態に限られることはなく、コネクター２３の保持ベース２２に対する位置に応じて三つ以上の傾斜状態が設定されるように構成することも可能である。
【００９４】
スピーカー２１にあっては、保持ベース２２の傾斜面３７ｃ、３７ｃとコネクター３の斜面３９ｃ、３９ｃとを傾斜方向が水平方向において１８０°反対の方向の状態で接する向きで嵌合部３９を結合部３５に結合することにより本体２４を第１の傾斜状態で傾斜させるようにしている。
【００９５】
従って、本体２４を垂直方向に対する傾斜角度が０°になる第１の傾斜状態で傾斜させる機構が簡素であり、機構の簡素化による製造コストの低減を図ることができる。
【００９６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９７】
【図１】図２乃至図６と共に本発明スピーカーの第１の実施の形態を示すものであり、本図は、スピーカーをテレビジョンとともに示す斜視図である。
【図２】スピーカーの分解斜視図である。
【図３】スピーカーを分解して示す断面図である。
【図４】コネクターの斜視図である。
【図５】第１の傾斜状態を示す断面図である。
【図６】第２の傾斜状態を示す断面図である。
【図７】図８乃至図１０と共に本発明スピーカーの第２の実施の形態を示すものであり、本図は、スピーカーの分解斜視図である。
【図８】スピーカーを分解して示す断面図である。
【図９】第１の傾斜状態を示す断面図である。
【図１０】第２の傾斜状態を示す断面図である。
【符号の説明】
【００９８】
１…スピーカー、２…保持ベース、３…コネクター、４…本体、４ａ…音声出力部、９…結合部、１２…傾斜面、１２ａ…ロック用突部、１４…嵌合部、１９…斜面、１９ａ…ロック用凹部、２１…スピーカー、２２…保持ベース、２３…コネクター、２４…本体、３５…結合部、３７ｃ…傾斜面、３９…嵌合部、３９ｃ…斜面
【図１】
2011211522.tif 000003
【図２】
2011211522.tif 000004
【図３】
2011211522.tif 000005
【図４】
2011211522.tif 000006
【図５】
2011211522.tif 000007
【図６】
2011211522.tif 000008
【図７】
2011211522.tif 000009
【図８】
2011211522.tif 000010
【図９】
2011211522.tif 000011
【図１０】
2011211522.tif 000012